(57)【要約】【課題】良好な演出効果や雰囲気作りを図ることができる装飾効果に優れた照明装置を提供すること。【解決手段】矩形状のメインパネル１の各辺にそれぞれヒンジ６を介して、メインパネル１と同形状のサブパネル２〜５が回動可能に取り付けられている。前記メインパネル１およびサブパネル２〜５のそれぞれには、その下面に有機ＥＬ素子により形成された面発光部１ａ〜５ａが取り付けられている。前記メインパネル１に対する各サブパネル２〜５の設定角度を変えることにより、さらに各面発光部１ａ〜５ａを独立して点灯制御することにより、良好な演出効果や雰囲気作りを図ることができる。【選択図】図２
2008186599.tif 000002
【特許請求の範囲】
【請求項１】
少なくとも一面が面発光部を構成するメインパネルと、前記メインパネルに対して連結部を介して回動可能に支持され、少なくとも一面が面発光部を構成するサブパネルとが具備され、
前記連結部を介してサブパネルがメインパネルに対して辺回動もしくは点回動されるように構成されていることを特徴とする照明装置。
【請求項２】
前記メインパネルが矩形状に形成され、矩形状の四辺においてそれぞれ前記連結部を介して４つのサブパネルを回動可能に支持したことを特徴とする請求項１に記載された照明装置。
【請求項３】
前記４つのサブパネルはそれぞれ矩形状に形成されていることを特徴とする請求項２に記載された照明装置。
【請求項４】
前記面発光部が有機ＥＬ素子により構成されていることを特徴とする請求項１ないし請求項３のいずれか１項に記載された照明装置。
【請求項５】
前記メインパネルもしくはサブパネルの少なくともいずれか１つが、両面において前記面発光部を構成していることを特徴とする請求項１ないし請求項４のいずれか１項に記載された照明装置。
【請求項６】
前記メインパネルには、前記面発光部の裏面に点灯駆動電源を収容するケースが取り付けられ、前記ケースの一部に装置全体を支持する支持部材が取り付けられていることを特徴とする請求項１ないし請求項５のいずれか１項に記載された照明装置。
【請求項７】
前記メインパネルおよびサブパネルにおける各面発光部が独立して点灯制御されるように構成されていることを特徴とする請求項１ないし請求項６のいずれか１項に記載された照明装置。
【発明の詳細な説明】
【技術分野】
【０００１】
この発明は、例えば有機ＥＬ（エレクトロルミネッセンス）素子に代表される面発光光源を用いた照明装置に関する。
【背景技術】
【０００２】
照明装置の歴史は古く、従来より点光源であるフィラメント電球や線光源である蛍光灯等が多用されている。また多数のＬＥＤを平面状に配列して、あたかも面発光光源であるような構成とした照明装置も提案されている。これらの光源を用いた照明装置においては、各光源を機械的に保持すると共に、各光源に対して個々に給電するためのソケットなどの付帯的な部品も具備せざるを得ず、照明装置が大型化しコストも高騰するという問題を抱えている。
【０００３】
ところで昨今においては、面発光源として機能する有機ＥＬ素子が注目されている。この有機ＥＬ素子は低電圧により駆動されることで高い発光効率を有し、軽量かつ薄型化が可能であることから、一部の携帯型機器などにおけるフラットパネルディスプレイ（ＦＰＤ）に利用されており、また同素子を面発光源として、例えば液晶表示素子のバックライトとして利用する形態のものも提供されている。
【０００４】
一方、有機ＥＬ素子はＥＬ発光層に用いる素材の選択により、Ｒ（赤）、Ｇ（緑）、Ｂ（青）の各発光色を得ることができ、したがって前記した各発光色を単独で、または二種以上の発光色を組み合わせることにより、白色もしくはこれに近い発光色を得ることも可能となる。それ故、有機ＥＬ素子を面発光源（発光パネル）として構成することで、例えば装飾用の光源や、室内等を照明する高効率な光源として利用することができる。
【０００５】
前記した有機ＥＬ素子の特質を生かし、これを面発光型の照明装置として利用したものが、次に示す特許文献１および２などに開示されている。
【特許文献１】特開２００３−７４５０号公報
【特許文献２】特開２００４−２３４８６８号公報
【発明の開示】
【発明が解決しようとする課題】
【０００６】
ところで、前記特許文献１および２に開示された照明装置においては、有機ＥＬ素子を面発光源として利用した場合において、主に輝度むらの発生を防止することを解決しようとする課題としているものであり、有機ＥＬ素子を単調な面発光源として利用しようとする点にとどまるものである。
【０００７】
この発明は、前記した有機ＥＬ素子に代表される面発光光源を特定な形態で連結すると共に、各発光面の角度を好みに応じて変化させることが可能な照明装置を提供しようとするものであり、これにより良好な演出効果や雰囲気作りを図ることができる装飾効果に優れた照明装置を提供することを課題とするものである。
【課題を解決するための手段】
【０００８】
前記した課題を解決するためになされたこの発明にかかる照明装置は、少なくとも一面が面発光部を構成するメインパネルと、前記メインパネルに対して連結部を介して回動可能に支持され、少なくとも一面が面発光部を構成するサブパネルとが具備され、前記連結部を介してサブパネルがメインパネルに対して辺回動もしくは点回動されるように構成されている点に特徴を有する。
【０００９】
この場合、好ましくは前記メインパネルが矩形状に形成され、矩形状の四辺においてそれぞれ前記連結部を介して４つのサブパネルを回動可能に支持した構成にされる。加えて好ましくは前記４つのサブパネルもそれぞれ矩形状に形成された構成にされる。そして、前記面発光部は有機ＥＬ素子により構成されていることが望ましい。
【００１０】
一方、前記メインパネルもしくはサブパネルの少なくともいずれか１つが、両面において前記した面発光部になされた構成も好適に採用することができる。そして、好ましい実施の形態においては、前記メインパネルには、面発光部の裏面に点灯駆動電源を収容するケースが取り付けられ、前記ケースの一部に装置全体を支持する支持部材が取り付けられた構成にされる。
【００１１】
さらに望ましくは、前記した構成の照明装置において、前記メインパネルおよびサブパネルにおける各面発光部が独立して点灯制御されるように構成される。
【発明の効果】
【００１２】
前記した構成の照明装置によると、少なくとも一面に面発光部を構成するメインパネルに対して少なくとも一面に面発光部を構成するサブパネルが連結部を介して回動可能に支持され、前記連結部が辺回動もしくは点回動されるように構成されているので、メインパネルに対するサブパネルの角度（姿勢）を任意に選択することができる照明装置を提供することができる。
【００１３】
そして、例えば矩形状に形成されたメインパネルの四辺において、同じく矩形状に形成されたサブパネルをそれぞれ連結部を介して回動可能に支持した構成にすることで、各面発光部をフラット形に、また内側面に面発光部が配置された形態の箱型に、また外側に面発光部が配置された形態の箱型など、好みに応じた形態に設定することができる。
【００１４】
さらに前記連結部として点回動できる機能（ボールジョイントの機能）を持たせることにより、各サブパネルの姿勢をさらに不規則な形態に設定することが可能となる。これに加えて、前記メインパネルおよびサブパネルにおける各面発光部が独立して点灯制御されるように構成することで、さらに良好な演出効果や雰囲気作りを図ることができる装飾効果に優れた照明装置を提供することができる。
【発明を実施するための最良の形態】
【００１５】
以下、この発明にかかる照明装置について、図に示す実施の形態に基づいて説明する。図１〜図４はその第１の実施の形態を示したものであり、図１は各サブパネルを水平に展開した状態の照明装置を斜め上方から視た斜視図であり、図２は同じく斜め下方から視た斜視図である。また図３は照明装置を横から視た状態で示したおり、図４はサブパネルの一枚を上方にはね上げた状態を示す斜視図である。
【００１６】
図１および図２に示すように、この照明装置は中央に矩形状のメインパネル１が備えられ、そのメインパネル１の下面には矩形状の面発光部１ａが、メインパネル１に対して額縁状に取り付けられている。
【００１７】
また前記メインパネル１の四辺に沿って矩形状のサブパネル２，３，４，５がそれぞれ連結部６を介して回動可能に取り付けられている。そして、この実施の形態においては、図２に示されたように前記各サブパネル２，３，４，５の下面には、矩形状の面発光部２ａ，３ａ，４ａ，５ａがそれぞれ額縁状に取り付けられている。
【００１８】
前記メインパネル１および各サブパネル２，３，４，５は、それぞれ正方形状に形成され、かつ互いにほぼ同一寸法となるように構成されている。またメインパネル１および各サブパネル２，３，４，５に備えられた各面発光部１ａ，２ａ，３ａ，４ａ，５ａにおいてもそれぞれ正方形状に形成され、かつ互いにほぼ同一寸法となるように構成されている。なお、この実施の形態においては、前記各面発光部１ａ，２ａ，３ａ，４ａ，５ａは、有機ＥＬ素子により構成されている。
【００１９】
前記面発光部を構成する有機ＥＬ素子は、一つの例として例えば透明なガラス基板上にＩＴＯなどの透明電極をベタ電極として形成し、前記透明電極上に、さらに発光層を含む有機膜を形成すると共に、当該有機膜上に対向電極をベタ電極として形成した構成になされる。そして、前記透明電極、有機膜、対向電極からなる有機ＥＬ素子は、前記ガラス基板の周囲において接合される封止部材により、その背面側が封止された状態になされる。
【００２０】
前記面発光部を構成する有機ＥＬ素子は、これが比較的大きな面積となる場合においては、複数に分割して個々に小面積の有機ＥＬ素子とし、それぞれの透明電極と対向電極を直列接続もしくは並列接続させた構成とすることが望ましい。これにより、電気抵抗率の高い前記ＩＴＯによる電圧降下の影響を低減させることができ、発光輝度にむらが発生するのを効果的に防止させることができる。
【００２１】
前記メインパネル１に対して各サブパネル２，３，４，５を回動可能に支持する連結部６は、それぞれ同一構成のヒンジにより構成されており、これにより前記メインパネル１に対して各サブパネル２，３，４，５は、図３に矢印Ａ，Ｂで示されたようにそれぞれ独立して約１８０度の範囲で辺回動できるように構成されている。
【００２２】
そして、各サブパネルは辺回動された位置において、その姿勢が維持されるように前記各ヒンジは回動動作に適度な抵抗を持つように構成されている。なお図４は、前記した連結部６としてのヒンジを利用して、１枚のサブパネル５の自由端側を鉛直方向にはね上げた例を示している。
【００２３】
中央に位置する前記メインパネル１は、周側が矩形状にして高さ方向が薄く（偏平状に）形成されたケース７の下底部に取り付けられており、このケース７内には、前記各面発光部１ａ，２ａ，３ａ，４ａ，５ａを構成する有機ＥＬ素子に対して点灯駆動電流を供給する図示せぬ駆動電源部、並びにリモコン受光部等が収容されている。
【００２４】
そして、ケース７の上面中央には照明装置の全体を支持する支持部材、すなわち天井からの吊り下げ用パイプ８が取り付けられている。
【００２５】
なお、前記ケース７に収容された駆動電源部より、連結部６としての各ヒンジ部分をそれぞれ経由させて図示せぬ電流供給線が配設され、前記電流供給線を介して前記各サブパネル２，３，４，５における有機ＥＬ素子による面発光部１ａ，２ａ，３ａ，４ａ，５ａに対して駆動電流が供給されるように構成されている。この場合、望ましくは前記各ヒンジの支軸に例えば中空軸を用い、この中空軸内に前記電流供給線を挿通させるような構成が採用される。
【００２６】
前記した構成の照明装置によると、前記した連結部６としてのヒンジを利用して各サブパネル２，３，４，５の設定角度を自由に変更することができる。加えて例えばリモコン操作により、メインパネルおよびサブパネルにおける各面発光部を独立して点灯制御させることで、前記した発明の効果の欄に記載した独自の作用効果を得ることができる。
【００２７】
次に図５および図６は、この発明にかかる照明装置の第２の実施の形態を示したものであり、図５は照明装置を斜め上方から視た状態の斜視図であり、図６は図５におけるの鎖線Ｃで囲まれた部分、すなわちメインパネルに対するサブパネルの連結部を拡大して示した断面図である。なお、図５および図６においては、すでに説明した図１〜図４に示した各部と同一の機能を果たす部分を同一符号で示している。したがって、その詳細な説明は省略する。
【００２８】
この第２の実施の形態においては、メインパネル１に対するサブパネル２〜５の連結部９は、図６に拡大断面図で示したように点回動できるように構成されている。すなわち、メインパネル１および前記ケース７側に取り付けられたボールホルダ９ａと、サブパネル側に取り付けられたボール９ｂとにより連結部９として機能するボールジョイントを構成している。
【００２９】
前記したボールジョイントの構成によると、図６に示すようにサブパネルの自由端側を、矢印ＡおよびＢで示すように上下方向のみならず、左右方向および回転方向にも回動させることができる。
【００３０】
図５は、水平方向に展開されているサブパネルのうち、一枚のサブパネル５を、斜め４５度程度に回転させた例を示している。なお、前記サブパネルは点回動された位置において、その姿勢が維持されるように前記ボールホルダ９ａはボール９ｂを適度な抵抗を持つようにして抱持した構成にされている。
【００３１】
図５および図６に示した第２の実施の形態によると、前記した連結部６としてボールジョイントを利用して各サブパネルが点回動できるように構成したので、各サブパネルの姿勢をさらに自由に変更することができる。これにより直接照明や間接照明など、照明の形態を任意に選択することが可能となり、前記した発明の効果の欄に記載した独自の作用効果を得ることができる。
【００３２】
なお、以上説明した実施の形態においては、矩形状に形成されたメインパネルの四辺に対して、同じく矩形状に形成されたサブパネルを連結部を介して回動可能に支持した例を示しているが、これらメインパネルおよびサブパネル単体の形状は、矩形状に限らず、円形または楕円形やその他任意の形状を選択することができる。同様に前記面発光部の形状も任意に、選択することができ、さらにサブパネルの数も適宜選択することができる。
【００３３】
また、前記した実施の形態においては、メインパネル１は駆動電源部等を収容したケース７の下底部に取り付けられた構成にされているが、前記ケース７を取り除くこともできる。この場合、前記メインパネルおよび各サブパネルには、その両面に例えば有機ＥＬ素子による面発光部を取り付けることができる。また面発光部の形状も、さらにその発光色も任意に選択することができる。
【００３４】
さらに前記したように、パネルの両面に有機ＥＬ素子による面発光部を取り付けることなく、有機ＥＬ素子の対向する各電極に透明電極を備えること、もしくは一方の金属電極（対向電極）に多数の小孔を形成するなどした有機ＥＬ素子単体を、両面発光が可能なパネルとして利用することもできる。
【００３５】
そして、前記した構成の照明装置は、実施の形態として示した天井吊り下げ型以外に、壁面固定型として採用することもでき、その他電気スタンドの形態や、スポットライトとして利用することもできる。
【図面の簡単な説明】
【００３６】
【図１】この発明にかかる照明装置の第１の実施の形態を斜め上方から視た状態の斜視図である。
【図２】同じく斜め下方から視た状態の斜視図である。
【図３】同じく横から視た状態の側面図である。
【図４】同じくサブパネルの一枚を上方にはね上げた状態を示す斜視図である。
【図５】この発明にかかる照明装置の第２の実施の形態を斜め上方から視た状態の斜視図である。
【図６】図５における鎖線Ｃで囲まれた部分の拡大断面図である。
【符号の説明】
【００３７】
１          メインパネル
１ａ        面発光部
２〜５      サブパネル
２ａ〜５ａ  面発光部
６          連結部（ヒンジ）
７          ケース
８          支持部材（吊り下げ用パイプ）
９          連結部（ボールジョイント）
９ａ        ボールホルダ
９ｂ        ボール
【図１】
2008186599.tif 000003
【図２】
2008186599.tif 000004
【図３】
2008186599.tif 000005
【図４】
2008186599.tif 000006
【図５】
2008186599.tif 000007
【図６】
2008186599.tif 000008